【手続補正書】
【提出日】平成24年3月13日(2012.3.13)
【手続補正１】
【補正対象書類名】特許請求の範囲
【補正対象項目名】全文
【補正方法】変更
【補正の内容】
【特許請求の範囲】
【請求項１】
チャンク列に配置された複数のサブキャリアを用いる通信システムにおいてリソース割当データをシグナリングする方法であって、
複数のユーザ装置のそれぞれに対する前記サブキャリアの割当と、前記サブキャリアの割当型を識別するデータとを受信する工程と、
前記受信した前記割当を処理し、前記各ユーザ装置に割り当てられたサブキャリアと前記割当型とに基づいて、前記チャンク列における開始チャンク及び終了チャンクを識別するためのデータを決定する工程と、
前記決定された該当開始チャンク及び終了チャンクに対応する前記識別するためのデータを用いて前記ユーザ装置のそれぞれに対する前記割当型を識別する型データを含むリソース割当データを生成する工程と、
前記複数のユーザ装置のそれぞれに前記各リソース割当データをシグナリングする工程と、を含む方法。
【請求項２】
一の割当型は、ユーザ装置に自身のサポートする帯域幅において可能な限り不連続に分散されたサブキャリアの集合が割り当てられる、分散キャリア割当である、請求項１に記載の方法。
【請求項３】
前記リソース割当データを生成する工程において、前記リソース割当データの生成に際して、決定された開始チャンクの識別子と決定された終了チャンクの識別子との符号化を実施可能である、請求項１又は２に記載の方法。
【請求項４】
前記通信システムは複数のサブバンドを用い、各サブバンドはチャンク列に配置されたサブキャリアを含み、各サブバンドにおけるサブキャリア割当に対する各リソース割当データを生成する、請求項１ないし３のいずれか１項に記載の方法。
【請求項５】
サブバンドに対する前記リソース割当データは該サブバンド内においてシグナリングされる、請求項４に記載の方法。
【請求項６】
チャンク列に配置された複数のサブキャリアを用いる通信システムにおいてキャリア周波数割当を決定する方法であって、
サブキャリアの割当型を識別するデータを含み、前記チャンク列における開始チャンク及び終了チャンクを識別するリソース割当データを受信する工程と、
サブキャリアからなる前記チャンク列に前記リソース割当データを関連づける情報を保持する工程と、
受信した前記サブキャリアの割当型を識別するデータを含むリソース割当データ及び前記保持した情報を用いて割り当てられたサブキャリアを決定する工程と、を含む方法。
【請求項７】
一の割当型は、ユーザ装置にサブキャリアからなり連続するチャンクの集合が割り当てられる局所チャンク割当であり、識別された開始チャンク及び終了チャンクの間に含まれるチャンク又は複数チャンクにおける連続するサブキャリアの集合としてサブキャリア割当を決定する、請求項６に記載の方法。
【請求項８】
一の割当型は、ユーザ装置がサブキャリアからなり分散したチャンクの集合を割り当てられる分散チャンク割当であり、前記割り当てられたサブキャリアを決定する工程は、識別された開始及び終了チャンクの間のチャンクの個数を決定する工程と、前記チャンク列におけるチャンクの総数を識別された開始及び終了チャンクの間に含まれるチャンクの個数で除することによりチャンク間隔を決定する工程と、を含む、請求項６に記載の方法。
【請求項９】
前記割り当てられたサブキャリアを決定する工程において、他のユーザ装置に対するチャンク割当に依存して、開始チャンクを決定する、請求項８に記載の方法。
【請求項１０】
一の割当型は、ユーザ装置に分散したサブキャリアの集合が割り当てられる分散サブキャリア割当であり、前記割り当てられたサブキャリアを決定する工程は、識別された開始及び終了チャンクの間におけるチャンクの個数を決定する工程と、前記チャンク列におけるチャンクの総数を識別された開始及び終了チャンクの間におけるチャンクの個数で除することによってサブキャリア間隔を決定する工程と、を含む、請求項６に記載の方法。
【請求項１１】
前記割り当てられたサブキャリアを決定する工程において、他のユーザ装置に対するサブキャリア割当に依存して、開始サブキャリアを決定する、請求項１０に記載の方法。
【請求項１２】
前記通信システムは複数のサブバンドを用い、各サブバンドはチャンク列に配置されたサブキャリアを含み、前記複数のサブバンドにおけるサブキャリア割当に対する各リソース割当データを受信する、請求項６ないし１１のいずれか１項に記載の方法。
【請求項１３】
サブバンドに対するリソース割当データは、該サブバンド内で受信される、請求項１２に記載の方法。
【請求項１４】
前記割当データはエンコードされ、前記割り当てられたサブキャリアを決定する工程は、前記開始及び終了チャンクを決定し、又は、前記開始及び終了チャンクを定義するデータを識別するため、前記割当データをデコードする工程を含む、請求項６ないし１３のいずれか１項に記載の方法。
【請求項１５】
チャンク列に配置された複数のサブキャリアを用いて複数のユーザ装置との通信を実施可能であり、
請求項１ないし５のいずれか１項に記載の方法を用いて前記ユーザ装置のそれぞれにサブキャリア割当をシグナリング可能である通信ノード。
【請求項１６】
請求項１５に記載の通信ノードと通信可能であり、
請求項６ないし１４のいずれか１項に記載の方法を用いてサブキャリア割当を決定可能であるユーザ装置。
【請求項１７】
請求項１ないし５のいずれか１項に記載の方法をプログラム可能なコンピュータ装置に実行させる、コンピュータプログラム。
【請求項１８】
請求項６ないし１４のいずれか１項に記載の方法をプログラム可能なコンピュータに実行させる、コンピュータプログラム。
【請求項１９】
コンピュータ読み取り可能な媒体に記録された、請求項１７又は１８に記載のコンピュータプログラム。
【請求項２０】
チャンク列に配置された複数のサブキャリアを用いて複数のユーザ装置と通信可能である通信ノードであって、
複数のユーザ装置のそれぞれに対する前記サブキャリアの割当と、前記サブキャリアの割当型を識別するデータとを受信可能である受信部と、
前記受信した割当を処理可能であり、各ユーザ装置に対して、前記各ユーザ装置に割り当てられたサブキャリアと前記割当型とに基づいて、前記チャンク列における開始チャンク及び終了チャンクを識別するデータを決定する処理部と、
前記処理部によって決定され、前記該当する開始チャンク及び終了チャンクを識別するデータを用いて前記ユーザ装置のそれぞれに対する前記割当型を識別する型データを含むリソース割当データを生成可能である生成部と、
前記各リソース割当データを前記複数のユーザ装置のそれぞれに出力可能である出力部と、を備える通信ノード。
【請求項２１】
チャンク列に配置された複数のサブキャリアを用いて複数のユーザ装置と通信するように動作することができる通信ノードと通信するように動作することができるユーザ装置であって、
サブキャリアの割当型を識別するデータを含み、前記チャンク列における開始チャンク及び終了チャンクを識別するリソース割当データを受信可能である受信部と、
前記チャンク列に前記リソース割当データを関連づける情報を保持するように動作可能であるメモリ又は回路と、
受信した前記サブキャリアの割当型を識別するデータを含むリソース割当データ及び前記保持した情報を用いて割り当てられたサブキャリアを決定可能である決定部と、を備えることを特徴とするユーザ装置。